(57)【要約】【課題】操作リモコンがある除湿モードを選択している状態で、さらに、本体が前記除湿モード以外の運転中で、操作リモコンが選択している前記除湿モードで運転しようとした際に、除湿モードを順番にかつサイクリックに選択可能とする選択手段を有する操作リモコンなので、除湿運転開始時の除湿モードが選択したい前記除湿モードの次順番の除湿モードで運転してしまう。【解決手段】除湿モードとして複数のモードを本体の制御機能として備え、除湿モードで運転するための運転手段として除湿ボタン７を有する操作リモコン４と、除湿モードの選択をする設定モードに切り替え可能とする設定ボタン８と、設定モード中に複数の除湿モードから除湿モードを選択する設定手段を備え、運転する際に前記設定手段により選択した除湿モードで運転する空気調和機とすることにより、前記運転手段により運転開始時の除湿モードが選択通りの除湿モードで運転することができる。【選択図】図１
2008180405.tif 000002
【特許請求の範囲】
【請求項１】
除湿運転機能を備えた室内機を有する空気調和機において、除湿モードとして複数のモードを本体の制御機能として備え、さらに除湿モードで運転する運転手段を有する操作リモコンを備え、さらに除湿モードを前記複数のモードの中から選択する設定モードに切り替える切り替え手段と、設定モード中に複数の除湿モードから１つの除湿モードを選択する設定手段とを有し、運転する際に前記設定手段により選択した除湿モードで運転することを特徴とする空気調和機。
【請求項２】
除湿モードを選択する設定モードに切り替える切り替え手段と設定手段とを本体に備えた請求項１に記載の空気調和機。
【請求項３】
除湿モードを選択する設定モードに切り替える切り替え手段と設定手段とを操作リモコンに備えた請求項１に記載の空気調和機。
【請求項４】
選択した除湿モードを記憶する記憶部を備えた請求項１〜３のいずれか１項に記載の空気調和機。
【請求項５】
記憶部に不揮発メモリを用いた請求項４に記載の空気調和機。
【請求項６】
選択した除湿モードを表示する表示部を備えた請求項１〜５のいずれか１項に記載の空気調和機。
【発明の詳細な説明】
【技術分野】
【０００１】
本発明は、複数の除湿運転モードを設定可能とした空気調和機に関するものである。
【背景技術】
【０００２】
従来、この種の空気調和機として、複数の除湿運転モードを設定可能としていたものとして、例えば除湿モードとして複数のモードを本体の制御機能として備え、さらに、操作する毎に前記除湿モードを順番にかつサイクリックに選択可能とする選択手段と、該選択手段で選択された除湿モードの指令を本体に送信する手段と、前記選択手段とは別の本体の運転を停止させる運転停止手段とを有する操作リモコンを備えたものがあった（例えば、特許文献１参照）。
【特許文献１】特開２００４−１０１１７７号公報
【発明の開示】
【発明が解決しようとする課題】
【０００３】
しかしながら、前記従来の構成では、例えば操作リモコンがある除湿モードを選択している状態で、さらに、本体が前記除湿モード以外の運転中で、操作リモコンが選択している前記除湿モードで運転しようとした際に、除湿モードを順番にかつサイクリックに選択可能とする選択手段を有する操作リモコンなので、除湿運転開始時の除湿モードが選択したい除湿モードの次順番の除湿モードで運転してしまうという課題を有していた。
【０００４】
本発明は、前記従来の課題を解決するもので、操作リモコンがある除湿モードを選択している状態で、さらに、本体が前記除湿モード以外の運転中であった状態で、操作リモコンが選択している前記除湿モードで運転開始しようとした際に、除湿運転開始時の除湿モードが選択通り前記除湿モードで運転することを可能とした操作リモコンを有する空気調和機を提供することを目的とする。
【課題を解決するための手段】
【０００５】
前記従来の課題を解決するために、本発明の空気調和機は、除湿モードとして複数のモードを本体の制御機能として備え、さらに除湿モードで運転する運転手段を有する操作リモコンを備え、さらに除湿モードを選択する設定モードに切り替える切り替え手段と、設定モード中に複数の除湿モードから除湿モードを選択する設定手段とを備えた構成とする。
【発明の効果】
【０００６】
本発明の空気調和機は、操作リモコンがある除湿モードを選択している状態で、さらに、本体が前記除湿モード以外の運転中であった状態で、操作リモコンが選択している前記除湿モードで運転開始しようとした際に、除湿運転開始時の除湿モードが選択通り前記除湿モードで運転する空気調和機を提供することができる。
【発明を実施するための最良の形態】
【０００７】
第１の発明は、除湿モードとして複数のモードを本体の制御機能として備え、さらに除湿モードで運転する運転手段を有する操作リモコンを備え、さらに除湿モードを選択する設定モードに切り替える切り替え手段と、設定モード中に複数の除湿モードから除湿モードを選択する設定手段とを備え、運転する際に前記設定手段により選択した除湿モードで運転することとしたことにより、操作リモコンがある除湿モードを選択している状態で、さらに、本体が前記除湿モード以外の運転中であった状態で、操作リモコンが選択している前記除湿モードで運転開始しようとした際に、除湿運転開始時の除湿モードが選択通り
前記除湿モードで運転することを可能とすることができる。
【０００８】
第２の発明は、除湿モードを選択する設定モードに切り替える切り替え手段と設定手段とを本体に備えたことで、本体で選択したい除湿モードを選択することを可能とすることができる。
【０００９】
第３の発明は、除湿モードを選択する設定モードに切り替える切り替え手段と設定手段とを操作リモコンに備えたことで、本体に前記手段を備えるよりもさらに簡単に選択したい除湿モードの選択切り替えをすることを可能とすることができる。
【００１０】
第４の発明は、選択した除湿モードを記憶する記憶部を備えたことにより、再度切り替え手段と設定手段を用いて選択したい除湿モードを選択しなくても、以前の設定通りの除湿モードで運転することを可能とすることができる。
【００１１】
第５の発明は、選択した除湿モードを記憶する記憶部に不揮発メモリを用いることで、なんらかの原因で記憶部の電源が落ちてしまった際にも、再度設定モードで除湿モードを選択しなくても以前の設定通りの除湿モードで運転することを可能とすることができる。
【００１２】
第６の発明は、選択した除湿モードを表示する表示部を備えたことで、現在設定中の除湿モードを確認することができ、ユーザの操作性を向上することができる。
【００１３】
以下、本発明の実施の形態について、図面を参照しながら説明する。なお、本実施の形態によって本発明が限定されるものではない。
【００１４】
（実施の形態１）
図１は、本発明の第１の実施の形態における空気調和機の制御構成を示すブロック図である。同図において、本体１はそれ全体を操作するＣＰＵ部２を中枢とし、操作リモコン５からの信号を受信する受信回路４からなる構成である。
【００１５】
また、操作リモコン５はそれ全体を操作するＣＰＵ部６を中枢とし、ユーザが操作する毎に除湿運転モードの選択ができるようにした設定ボタン（切り替え手段）１０と、設定ボタン１０で選択している除湿モードで運転できるようにする除湿ボタン（設定手段）９と、本体１の運転を切り替える運転／停止ボタン（運転手段）８と、さらに本体１へ信号を送信する送信回路７を有する構成である。
【００１６】
以上のように構成された空気調和機において、以下その動作、作用を説明する。
【００１７】
まず、操作リモコン５の設定ボタン１０を操作することで設定モードに入り除湿モードの選択ができ、希望の除湿モードに設定できる。選択している除湿モードで運転するために除湿ボタン９を操作すると、送信回路７により、本体１へユーザの選択した除湿運転モードを送信し、受信回路４から本体１にユーザの選択した除湿運転モードを受信し、本体１のＣＰＵ部２からの指示により本体１が除湿運転することができる。
【００１８】
また、本実施の形態において、ユーザの選択した除湿運転モードを操作リモコン５のマイコンの記憶部４に記憶しておいて、ユーザが除湿ボタン９を操作した際に、除湿運転開始信号と共に、除湿モード信号を送信回路７により本体１に送信した場合でも、受信回路３により本体１が除湿運転開始信号と共に、除湿モード信号を受信することで、上記同様本体１はユーザが設定モードにより選択した除湿モードで運転することができる。
【００１９】
また、本実施の形態において、設定ボタン１０と除湿ボタン９を、操作リモコン５にで
はなく本体１に設けてもよい。
【００２０】
また、記憶部３は、本体１のＣＰＵ部２にではなく操作リモコン５のＣＰＵ部６に設けてもよく、不揮発メモリを用いることにより、電源をオフしても選択した除湿モードを記憶しておき、再度そのモードで運転することができる。
【００２１】
また、本体１または操作リモコン５に選択した除湿モードを表示する表示部（図示せず）を設けることで、現在設定中の除湿モードを確認することができ、操作性が向上する。
【産業上の利用可能性】
【００２２】
以上のように、本発明の空気調和機は、操作リモコンがある除湿モードを選択している状態で、さらに、本体が前記除湿モード以外の運転中であった状態で、操作リモコンが選択している前記除湿モードで運転開始しようとした際に、除湿運転開始時の除湿モードが選択通り前記除湿モードで運転することが可能となるので、複数の除湿運転モードを備えた空気調和機に適用できる。
【図面の簡単な説明】
【００２３】
【図１】本発明の実施の形態１における空気調和機の構成ブロック図
【符号の説明】
【００２４】
１  空気調和機の本体
２  本体のＣＰＵ部
３  記憶部
４  受信回路
５  操作リモコン
６  操作リモコンのＣＰＵ部
７  送信回路
８  運転／停止ボタン（運転手段）
９  除湿ボタン（設定手段）
１０  本体設定ボタン（切り替え手段）
【図１】
2008180405.tif 000003